(57)【要約】【課題】書物等の大きさ、分厚さ、紙質に関わらず、書見のしやすさを損なうことなく、容易に書見中の書物等の任意箇所を安定して支持固定できること。また最適な書見角度に調節できるとともに、部品を収納したら、簡素な書見台の形態となること。【解決手段】書見台の本体上に有するスリットに鉄板のフック部を掛けながら、書物を押さえる。書物等が分厚い場合は、書物等の上端に鉄板のフック部を掛けることにより、書物等の任意の書見箇所を２組の鉄板と磁石で挟持固定する。書見角度は、書見台裏側の３種類の溝に脚を取り付け替えることにより簡単に調節ができる。鉄板は書見台裏側の収納棚に挿入し、書見台本体表側孔から磁石を書見台面下に沈み込め、磁力固定して収納することにより鉄板と磁石の紛失防止を行うとともに、書見台面を平らかにした簡素な通常の書見台を提供する。【選択図】    図１
2004216017.tif 000002
【特許請求の範囲】
【請求項１】
書見台本体と、  書見台の角度を保つ脚及び、  書籍等を押さえる鉄板と、  その鉄板との間で頁を挟む磁石からなり、  本体上に有するスリットに鉄板のフック部を掛けながら、  書物の書見箇所を、  ２組の鉄板と磁石で挟持固定することを特徴とした書見台。
【請求項２】
書見台裏側には脚を挿入する  ３対の溝を有し、  その溝に脚を付け替えることにより、  書見角度の調節ができることを特徴とした請求項１  記載の書見台。
【請求項３】
鉄板は書見台裏側の収納棚に挿入し、  書見台表側の孔から磁石で磁力固定して収納することを特徴とした請求項１  の書見台。
【発明の詳細な説明】
【０００１】
【発明の属する技術分野】
この発明は、  書物等を載置する台の構造と形状に関する技術である。
【０００２】
【従来の技術】
従来の書見台は、  書籍の周囲を  ２つのクリップで挟み、  磁性本体に吸着させるものであった。  （例えば、実用新案文献  １参照）
また、  磁石で吸引または吸着される金属棒に保持されたページ押さえで書物の一定の箇所を押さえつける方式のものもある。  （例えば、実用新案文献  ２参照）
【０００３】
【実用新案文献１】
実開平０５−０３１６３３
【実用新案文献２】
実開平０８−００１２５８
【発明が解決しようとする課題】
しかしながら、  以上の従来技術によれば、  書物類は、  大きさ、  分厚さ、  紙質等多種多様であり、  その構造上、  書見に対応できる書物が限定されるばかりでなく、  書物の任意箇所を、  安定して且つ、  容易に固定することは困難であった。
そこで、  この発明は、  書物等の大きさ、  分厚さ、  紙質に関わらず、  書見のしやすさを損なうことなく容易に、  書見中の書物等の任意箇所を安定して支持固定する書見台を提供することを課題とする。
また、  書見する目線の位置や角度に合わせて、  脚の差し替えで、書見角度が調整でき、  書見箇所固定のための頁挟持用の部品を紛失することなく、  単に書物類を載せるだけの平らな簡素な通常の書見台として使用する形態とすることをも課題とする。
【０００４】
【課題を解決するための手段】
以上の課題を解決するために、  請求項１  の発明は、  書見台本体と、  書見台の角度を保つ脚、  鉄板及び磁石からなり、  本体上に有するスリットに鉄板のフック部を掛けながら書物を押さえ、  書物の任意の書見箇所を、  ２組の鉄板と磁石で挟持固定することを特徴とした書見台である。
また、  請求項２  の発明は、  本体上に有するスリットに鉄板のフック部を掛けながら書物を押さえ、  書物の任意の書見箇所を、  ２組の鉄板と磁石で挟持固定することを特徴とした書見台の、  書見角度を脚の取り付け替えで可変としたことを特徴とする書見台である。
また、  請求項３  の発明は、  本体上に有するスリットに鉄板のフック部を掛けながら書物を押さえ、  書物の書見箇所を、  ２組の鉄板と磁石で挟持固定することを特徴とした書見台の、  鉄板は書見台本体裏側の収納棚に挿入し、  書見台表側の孔から磁石を書見台面下に沈みこめ磁力固定して収納するとともに、  書面台面を平らかにした簡素な書見台とすることを特徴とする書見台である。
【０００５】
【発明の実施の形態】
この発明の一実施形態を、  図１  に示す。
書見台は書見台本体１、  １対の鉄板２  と  １対の磁石３  とからなる。  書見台本体１  は木製であり、  表側に書物等の滑り止めｅ  、  裏面には、  脚が取りつけられており、  書見角度を固定する。  書見台本体裏側には左右対称に  ３対の溝  ｆ、  ｇ  、  ｈ  が構成されており、  脚４  の取り付け変えにより、  ３段階に書見角度を調整できる。  書見台面には、  小さい書物用の    Ａ６スリットｄ  、  単行本等の書物用の    Ｂ６スリットｃ  、  磁石３  を収納する収納孔ｂ  が左右対称に開いている。書見台上に置いた書物の大きさに応じて、  鉄板２  のフック部ａ  を    Ｂ６スリットｃ  、  または    Ａ６スリットｄ  に挿入し、  更に大きな書物の場合は、  書見台の上端部より上にはみ出した位置で、  書物上に載せることができる構造である。
この発明の、  書物載置状態における図１  の  Ｘ−Ｘ´  部断面図として図２  に示す。
書見台本体の滑り止めｅ  の上に、  例えば大きさ  Ａ６の書物ｉ  を載せ、書見中の箇所より少し前の頁に鉄板２  を鉄板のフック部ａ  が    Ａ６スリットｄ  に入るように載せ、  書見中の頁の上から磁石３  を任意箇所に載せる。  ただし、  鉄板２  の下部の頁が充分に分厚い場合には、  フック部ａ  は    Ａ６スリットｄ  から浮いた状態である。
この実施形態によれば、  フック部ａ  を書見台のスリットに挿入して書見中の任意箇所に磁石３  を置くだけであるから、  操作は実に簡単である。  また磁石は充分に自由度が高く、  書見を妨げることはない。  鉄板のフック部ａ  が書見台本体のスリットに入って引っかかることにより、  鉄板２  が滑り落ちたり、  フック部ａ  が書見台面に当たって浮くことなく、  鉄板２  の質量を支え且つ、  鉄板２  と磁石３  の磁力と質量により書物ｉ  を挟持して固定する。  フック部ａ  が引っかかっている間は、  挟持する頁数が少ない場合でも、  鉄板２  の質量に負けて、  挟持されている頁が座屈することはなく、  書見中の箇所は確実に固定される。  鉄板下の書物ｉ  の厚みが、  フック部ａ  より分厚く、  フック部ａ  がスリットに入らず、  本体１  から浮いた状態にある場合においては、  紙の腰が充分にあるため、  書物ｉ  が座屈したり、  鉄板２  が滑り落ちたりすることはない。  このような形態にすることにより、  書物等の大きさ、  分厚さ、  紙質に関わらず、  書見のしやすさを損なうことなくしかも容易に、  書見中の書物の任意箇所を安定して挟持固定する書見台を提供することができる。
また、  この実施形態によれば、  磁石３  の取り付け場所の自由度は高く、  書見を中座するときの書見箇所忘れ防止として、  書見中の箇所を示すことができる。
また、  この実施形態によれば、  書見中、  書物ｉ  への鉄板２  の挿入位置により、  １回の書見で読んだ頁数等、  既読の頁数、  未読の頁数を自己管理することが可能である。
また、  この実施形態によれば、鉄板２  は、  書物に書き込みする場合の下敷きとして利用できる。
また、  この実施形態によれば、  手で押さえながら読書する必要がないため読書が楽であり、  書見角度の調整との相乗効果で、  読書姿勢がよく、  長時間の読書でも疲れが少ない等の効果がある。
また、  この実施形態によれば、  手で押さえながら読書したり、  書物の開き癖をつけたりする必要がないため、  書物はほとんど傷まず、  新書同様のまま読み終えることが可能である。
また図２  のＸ−Ｘ´部断面図は、  脚４  とその挿入用の溝  ｇ  ，  ｆ  、ｈ  との関係をも示す。
この実施形態によれば、脚４  は、  ３対の溝を差し替えることにより、  簡単に中角度部ｆ  、  高角度部ｇ  、  低角度部ｈ  のいずれかを選択して、  書見角度の調節ができる。
この発明の鉄板収納法を示す図１  の斜め上部からの斜視図を、  図３  に、  鉄板収納後のＹ−Ｙ´断面図を、  図４に示す。
この実施形態によれば、  鉄板２  及び磁石３  を使用しないときには、  鉄板２を書見台裏側の収納棚ｊ  に挿入し、  表側収納孔ｂ  より磁石３  を入れて書見台面下に沈みこめ、  鉄板２  を磁力で固定する。  このようにすることにより、  鉄板２  と磁石３  の紛失防止とするとともに、  書見台面を平らかにして、  通常の簡素な書見台として使用できる。  鉄板２  を引き抜いても、  磁石３  は収納孔ｂ  に保持されており、下部から指で押し出すことにより容易に取り出すことが出来る。
【０００６】
【他の実施形態】
図１  の実施形態において、  鉄板２  は強磁性材料であればよく、  ステンレス材料、  塗装処理鉄板、  メッキ処理鉄板、  鉄板のコーティング材料等を使用することができる。  また書見台本体１  、  滑り止めｅ  、  脚４  取り付け部等は種種の木だけでなく、  木のぬくもり感を問わなければ、  １  、  ｅ  、  ｆ  、  ｇ  、  ｈ  等を一体化した樹脂製にすると、  大量生産が容易で格安となる。
【０００７】
【発明の効果】
以上説明したように、  この発明によれば、  スリットを有する書見台本体と、  フック部を有する鉄板、  及び磁石を設けることにより、  書見のしやすさを損なうことなく、  多種多様な書物の書見中の任意箇所を安定的に容易に支持固定できる。
また、  脚の取り付け溝を選択することにより、  容易に書見角度を変えることが出来る。
さらに、  鉄板と磁石は、  書見台裏部の収納棚に収納し、表側孔より磁石を書見台面下に沈めこむことにより磁力固定して、  紛失防止を行うとともに、  書面台面を平らかにして、  単に書物を置くだけの簡素な通常の書見台としても使用可能である。
【図面の簡単な説明】
【図１】この発明の一実施形態を示す斜視図である。
【図２】書物載置状態における図１  のＸ−Ｘ´  部断面図である。
【図３】鉄板収納法を示す図１  の斜め上部からの斜視図である。
【図４】鉄板収納状態における図３のＹ−Ｙ´部断面図である。
【符号の説明】
１  書見台本体                    ２  鉄板                        ３  磁石
４  脚
ａ  フック部                            ｂ  収納孔                      ｃ    Ｂ６スリット
ｄ    Ａ６スリット                      ｅ  滑り止め                      ｆ    中角度部
ｇ    高角度部                        ｈ  低角度部                      ｉ    書物
ｊ      収納棚
【図１】
2004216017.tif 000003
【図２】
2004216017.tif 000004
【図３】
2004216017.tif 000005
【図４】
2004216017.tif 000006